(57)【特許請求の範囲】
【請求項１】
下方に連成された排水管部を床に挿通させて該床に付設されるドレイン受皿と、該ドレイン受皿上に固定されるストレーナとを備える中継用ドレインを、各階の上下で一致する位置に配設するとともに、縦樋管を、上端を上階のドレイン受皿の排水管部に嵌装し、下端を下階のドレイン受皿上に臨ませて各階の中継用ドレイン間に垂直に差し渡してなる中継用ドレイン装置において、
前記縦樋管の下端部に外嵌して該縦樋管の軸線方向に略一致する取付方向を保持するとともに、ストレーナの上方に所定長さ突出する嵌着筒部と、該嵌着筒部から下方に延成され、前記排水管部の下部開口径より径小な導出口が下端に開口された漏斗状部とからなる誘導パイプを備え、該誘導パイプが、その漏斗状部がストレーナ内に上方から嵌挿されるとともに、該漏斗状部の導出口を、排水管部と同心状で該排水管部の上部開口縁との間に所要の流通間隙が生じるように近接させて臨ませ、かつ漏斗状部の導出口から排出される雨水直下流と排水管部の内周壁との間に筒状通気領域が形成されるように配設されてなるものであって、
漏斗状部の下端部に、ドレイン受皿の内底面に当接して誘導パイプの高さ位置を保持するスペーサー片が設けられていることを特徴とする中継用ドレイン装置における雨水噴き出し防止装置。
【発明の詳細な説明】
【技術分野】
【０００１】
本発明は、各階の床に付設された中継用ドレイン間に縦樋管を差し渡してなる中継用ドレイン装置にあって、特に豪雨時に生じる中継用ドレインからの雨水の噴き出しを防止し得る雨水噴き出し防止装置に関する。
【背景技術】
【０００２】
一般に、多階層住宅等の建物に設置される中継用ドレイン装置は、図１１に示すように、各階のバルコニーやベランダ（以下、これらを「バルコニー等」という）の床Ｆに挿通される排水管部ｃを下方に連成したドレイン受皿ｂ上に、外周に通水孔ｄを多数形成したストレーナｅを乗載してなる中継用ドレインａを、各階の床Ｆ毎に上下で一致する位置に配設するとともに、縦樋管ｆを、その上端を上階側のドレイン受皿ｂの排水管部ｃに嵌装し、下端を下階側の中継用ドレインａのストレーナｅ内に挿入した状態で、支持金具ｇ（図１２参照）を介して建物の壁面等に固定することにより、各階の中継用ドレインａ，ａ間に垂直に差し渡して構成されている（例えば、特許文献１参照）。そして、各階において床Ｆ上の雨水をストレーナｅから当該階のドレイン受皿ｂ内に流入させて排水管部ｃから縦樋管ｆへ排水するとともに、上階の中継用ドレインａから縦樋管ｆを通って流下する雨水を下階の中継用ドレインａのストレーナｅ内で一旦放出した後、ドレイン受皿ｂ内に流入させることによって、当該階の雨水に合流させて縦樋管ｆで順次下階へ送るようになっている。
【０００３】
ここで、縦樋管ｆから下階のストレーナｅ内に雨水を放出する際に、その飛沫がストレーナｅに形成された通水孔ｄから外部へ飛散することを防止する手段として、図１２に示すように、縦樋管ｆの外径より径大な導入口ｈを上端に備え、かつ、前記排水管部ｃの上部開口径より径小な導出口ｊを下端に備えてなる誘導パイプｋを、その導入口ｈを縦樋管ｆの下部位置に臨ませ、かつ、導出口ｊを排水管部ｃの上部開口縁との間に所要の流通間隙ｓが生じるように臨ませた状態で、ストレーナｅ内に配設するようにした構成が本願出願人によって既に提案されている（特許文献２参照）。
【０００４】
また、中継用ドレインの雨水飛散防止手段として、図１３に示すように、下端開口が排水管部ｃより径小なテーパー管からなる接続筒ｍの上部を、ストレーナｅ内に挿入された縦樋管ｆの下端部に嵌合するとともに、該接続筒ｍをストレーナｅ内で、該ストレーナｅの上端部に径方向から螺合される止ネジｎによって固定するようにした構成も知られている（例えば、特許文献３参照）。
【特許文献１】特開２００５−１４６５８１号公報（段落０００２、図７）
【特許文献２】特開２００２−２０１７６８号公報
【特許文献３】実開昭６３−１１７９２２号公報
【発明の開示】
【発明が解決しようとする課題】
【０００５】
ところで、前記特許文献１に開示されている一般的な中継用ドレイン装置にあっては、時間降雨量が８０mm以上の非常に激しい豪雨になると、ドレイン受皿ｂから排水管部ｃを介して縦樋管ｆへ排水される大量の雨水が空気を巻き込んで縦樋管ｆ内に流入し、雨水の激しい乱流によって縦樋管ｆ内で雨水と空気とが混じり合って多量の気泡が発生する。このため、縦樋管ｆ内での雨水の体積が増加して流れが悪くなるとともに、縦樋管ｆ内で集まった気泡が空気の塊となって上方に浮き上がって、ドレイン受皿ｂから流入した雨水を押し戻す作用が生じることにより、上階の中継用ドレインａから縦樋管ｆを通って流下する大量の雨水が下階の中継用ドレインａのストレーナｅの通水孔ｄから激しく噴き出すという雨水の噴き出し現象が発生し、このような雨水の噴き出し現象が発生すると、当該階の床Ｆ上の水位が上昇して、掃き出し窓やドア等のバルコニー等に隣接する建物開口部から雨水が浸入して屋内に浸水被害をもたらすという問題点があった。
【０００６】
ここで、前記特許文献２に開示されている雨水飛散防止手段としての誘導パイプｋ（図１２参照）にあっては、通常量の降雨時における外部への飛沫の飛散を防止することはできるものの、上記のような非常に激しい豪雨時には、上階の中継用ドレインａから縦樋管ｆを通って流下する大量の雨水が、縦樋管ｆの下端部と誘導パイプｋの導入口ｈとの間に生じている隙間ｐから溢れ出して、ストレーナｅの通水孔ｄから周囲の床Ｆ上に流出するため、床Ｆ上の水位の上昇を防止することはできなかった。
【０００７】
一方、前記特許文献３に開示されている雨水飛散防止手段としての接続筒ｍ（図１３参照）にあっては、接続筒ｍの上部を縦樋管ｆの下端部に嵌合していることにより、上記のような縦樋管ｆの下端部との間の隙間ｐ（図１２参照）は生じないが、接続筒ｍが下方に至るに従って小径となる漏斗形状であるため、非常に激しい豪雨時には、上階の中継用ドレインａから縦樋管ｆを通って流下する大量の雨水の流圧をまともに受けることによって、接続筒ｍを前後左右に揺動させる力が作用して該接続筒ｍの固定が不安定となるとともに、該接続筒ｍが縦樋管ｆの下端部から脱落してしまう虞があった。
【０００８】
本発明は、かかる従来の問題点を解決するためになされたものであり、豪雨時における中継用ドレインからの雨水の噴き出しを防止し得るとともに、縦樋管の下端部に対する安定した取付状態が得られ、さらに後付け施工性にも優れた中継用ドレイン装置における雨水噴き出し防止装置を提供することを目的とするものである。
【課題を解決するための手段】
【０００９】
本発明は、下方に連成された排水管部を床に挿通させて該床に付設されるドレイン受皿と、該ドレイン受皿上に固定されるストレーナとを備える中継用ドレインを、各階の上下で一致する位置に配設するとともに、縦樋管を、上端を上階のドレイン受皿の排水管部に嵌装し、下端を下階のドレイン受皿上に臨ませて各階の中継用ドレイン間に垂直に差し渡してなる中継用ドレイン装置において、前記縦樋管の下端部に外嵌して該縦樋管の軸線方向に略一致する取付方向を保持するとともに、ストレーナの上方に所定長さ突出する嵌着筒部と、該嵌着筒部から下方に延成され、前記排水管部の下部開口径より径小な導出口が下端に開口された漏斗状部とからなる誘導パイプを備え、該誘導パイプが、その漏斗状部がストレーナ内に上方から嵌挿されるとともに、該漏斗状部の導出口を、排水管部と同心状で該排水管部の上部開口縁との間に所要の流通間隙が生じるように近接させて臨ませ、かつ漏斗状部の導出口から排出される雨水直下流と排水管部の内周壁との間に筒状通気領域が形成されるように配設されている中継用ドレイン装置における雨水噴き出し防止装置であって、漏斗状部の下端部に、ドレイン受皿の内底面に当接して誘導パイプの高さ位置を保持するスペーサー片が設けられているものである。
【００１０】
ここで、ストレーナの上方に所定長さ突出する誘導パイプの嵌着筒部は、ストレーナの上方位置で縦樋管の下端部に対して所定長さに亘って略密嵌状に外嵌することが好ましい。そして、このように、嵌着筒部を縦樋管の下端部に対して所定長さに亘って略密嵌状に外嵌することにより、豪雨時において、上階の中継用ドレインから縦樋管を通って流下する大量の雨水の流圧をまともに受ける漏斗状部が前後左右に揺動することなく安定し、縦樋管の軸線方向に略一致する取付方向を保持させることができる。また、嵌着筒部をストレーナの上方に所定長さ突出させることにより、ストレーナの上方位置で嵌着筒部が外嵌される縦樋管の長さに多少の寸法誤差があっても、嵌着筒部の上方突出長さによって、その寸法誤差を吸収することができる。さらに、縦樋管の長さを、その下端部がストレーナ内に挿入されることなく、ストレーナの上方に位置するように短くできるため、縦樋管の下端部に対する嵌着筒部の取付施工性が向上する。尚、前記構成中の雨水直下流とは、まっすぐ下に落ちる雨水流を意味し、漏斗状部の導出口から勢いよく真下に排出される円柱状の雨水流である。
【００１１】
前記雨水噴き出し防止装置にあって、前記誘導パイプを、軸線を略通る位置で左右に分割形成し、縦樋管の下端部を間に位置させた状態で該縦樋管の左右両側から一体に組み付ける構成が提案される。
【００１２】
また、誘導パイプまたはドレイン受皿に、ドレイン受皿の周囲の床から流入する雨水流を部分的に遮断して、排水管部の内周壁に沿って生ずる筒状通気領域をドレイン受皿の周囲の外気と連通する通気路が設けられている構成が提案される。ここで、該通気路は、誘導パイプまたはドレイン受皿に一体形成される断面略コ字形の遮断壁部や、断面略コ字形の遮断壁部材を誘導パイプまたはドレイン受皿に取付けることによって構成され得る。
【発明の効果】
【００１４】
本発明は、上述したように、縦樋管の下端部に外嵌して該縦樋管の軸線方向に略一致する取付方向を保持するとともに、ストレーナの上方に所定長さ突出する嵌着筒部と、該嵌着筒部から下方に延成され、排水管部の下部開口径より径小な導出口が下端に開口された漏斗状部とからなる誘導パイプを備え、該誘導パイプが、その漏斗状部がストレーナ内に上方から嵌挿されるとともに、該漏斗状部の導出口を、排水管部と同心状で該排水管部の上部開口縁との間に所要の流通間隙が生じるように近接させて臨ませ、かつ漏斗状部の導出口から排出される雨水直下流と排水管部の内周壁との間に筒状通気領域が形成されるように配設されているので、豪雨時に、縦樋管内で発生した気泡が上部へ浮き上がって生じる空気を前記筒状通気領域によって外部に排出することでき、ドレイン受皿からの雨水の流入を円滑に行わせることができるとともに、上階の中継用ドレインから縦樋管を通って流下する大量の雨水が、漏斗状部の導出口から直下流となって下階側の縦樋管内に直接流入するため、その流入時に巻き込まれる空気量が減少し、縦樋管内で発生する気泡量が減少することとなって、縦樋管内での雨水の体積増加が抑止されて流れが悪くなることがない。これによって、雨水の噴き出し現象を防止することができる。
【００１５】
また、縦樋管の下端部に外嵌された嵌着筒部が、縦樋管の軸線方向に略一致する誘導パイプの取付方向を保持するので、豪雨時において、上階の中継用ドレインから縦樋管を通って流下する大量の雨水の流圧をまともに受ける漏斗状部が前後左右に揺動せず、誘導パイプの安定した取付状態が得られる。また、嵌着筒部がストレーナの上方に所定長さ突出していることにより、ストレーナの上方位置で嵌着筒部が外嵌される縦樋管の長さに多少の寸法誤差があっても、嵌着筒部の上方突出長さによって、その寸法誤差を吸収することができる。さらに、縦樋管の長さを、その下端部がストレーナ内に挿入されることなく、ストレーナの上方に位置するように短くできるため、縦樋管の下端部に対する嵌着筒部の取付施工性がよい。
【００１６】
一方、前記誘導パイプを、軸線を略通る位置で左右に分割形成し、縦樋管の下端部を間に位置させた状態で該縦樋管の左右両側から一体に組み付ける構成にあっては、縦樋管をストレーナの上方位置で垂直に維持した状態で、該縦樋管の下端とストレーナの上端との間に生じる隙間から、左右に分割形成された誘導パイプの漏斗状部をストレーナ内に夫々差し入れるとともに、縦樋管の下端部を間に位置させて左右の嵌着筒部を一体化することにより、誘導パイプを縦樋管の下端部に簡単に取付けることができる。ここで、かかる取付作業は、縦樋管をストレーナの上方位置で垂直に維持し、かつストレーナをドレイン受皿上に固定した状態で行い得るので、既設の中継用ドレイン装置に対する誘導パイプの後付け施工に適したものとなる。即ち、既設の中継用ドレイン装置にあっては、ストレーナ内に縦樋管の下端部が挿入されているので、本発明にかかる誘導パイプを取付ける際には、ストレーナの上方の所定位置で縦樋管を切断し、その切断された端部を除去すれば、縦樋管やストレーナを取り外さなくても誘導パイプの取付けが可能であり、その後付け施工を容易に行うことができる。
【００１７】
また、誘導パイプまたはドレイン受皿に、ドレイン受皿の周囲の床から流入する雨水流を部分的に遮断して、排水管部の内周壁に沿って生ずる筒状通気領域をドレイン受皿の周囲の外気と連通する通気路が設けられている構成にあっては、周囲の床から大量の雨水がドレイン受皿に流入する場合にあっても、前記通気路によって筒状通気領域がドレイン受皿の周囲の外気と連通され、縦樋管内で発生した気泡が上部へ浮き上がって生じる空気を外部に確実に排出することができる。
【００１８】
さらに、漏斗状部の下端部に、ドレイン受皿の内底面に当接して誘導パイプの高さ位置を保持するスペーサー片が設けられている構成であるから、誘導パイプの嵌着筒部を縦樋管の下端部に固着しなくても、漏斗状部の導出口と排水管部の上部開口縁との間に所要の流通間隙を確保することができるとともに、縦樋管の下端部からの誘導パイプの脱落を防止することができる。
【発明を実施するための最良の形態】
【００１９】
以下に、本発明の第一実施例を、図１〜図５に基づいて説明する。
図１に示すように、各階のバルコニー等の床Ｆには、下方に排水管部３が連成されたドレイン受皿２が、排水管部３を床Ｆに挿通させた状態で各床Ｆ毎に上下で一致する位置に付設されている。このドレイン受皿２上には截頭円錐筒状に形成されたストレーナ５が乗載されている。該ストレーナ５は、外周に等間隔で開口された多数の通水孔４を備えており、その下端鍔縁に挿通した複数の螺子６を、ドレイン受皿２に部分的に形成されている支持段部７の螺子孔７ａに夫々螺合させることにより、ドレイン受皿２上に固定されるようになっている。そして、このドレイン受皿２とストレーナ５とによって中継用ドレイン１が構成されている。
【００２０】
また、前記上下階の中継用ドレイン１には、縦樋管８が垂直に差し渡されている。該縦樋管８は、その上端が上階のドレイン受皿２の排水管部３に嵌装され、下端が誘導パイプ１０を介して下階のストレーナ５に連結されている。また、該縦樋管８は、その下端がストレーナ５内に嵌挿されることなく、該ストレーナ５の上端との間に適宜の隙間が生じる長さに設定されている。そして、各階に配設された中継用ドレイン１と、各階の中継用ドレイン１間に差し渡された縦樋管８とによって中継用ドレイン装置が構成されている。
【００２１】
前記誘導パイプ１０は、本発明にかかる雨水噴き出し防止装置を構成するものであって、嵌着筒部１１と、該嵌着筒部１１から下方に延成された漏斗状部１２とからなる。嵌着筒部１１は、縦樋管８の下端部に外嵌されて該縦樋管８の軸線方向に略一致する誘導パイプ１０の取付方向を保持するとともに、ストレーナ５の上方に所定長さ突出するように形成されている。また、漏斗状部１２は、その下端に前記排水管部３の下部開口径より径小な導出口１３が開口されている。該漏斗状部１２の下端部には、ドレイン受皿２の内底面に当接して誘導パイプ１０の高さ位置を保持するためのスペーサー片１４，１４が、周方向で１８０°異なる位置に配設されている。また、漏斗状部１２の上端近傍部には、ストレーナ５の上端に乗載して同じく誘導パイプ１０の高さ位置を保持するための支承鍔縁１５が、その外周面に周設されている。尚、誘導パイプ１０を先付け施工用として中継用ドレイン１の仕様に合わせて形成する場合には、前記スペーサー片１４，１４と支承鍔縁１５の何れか一方を除去するようにしてもよい。
【００２２】
前記誘導パイプ１０は、硬質合成樹脂製または鋳造製となっている。ここで、誘導パイプ１０を鋳造製より安価な硬質合成樹脂製とする場合には、強度，耐候性及び耐久性に優れたポリプロピレン樹脂，塩化ビニル樹脂等が素材に用いられ得るが、塩化ビニル樹脂は廃棄後に焼却するとダイオキシンが発生するため、環境問題の観点からはポリプロピレン樹脂製とすることが好ましい。
【００２３】
前記誘導パイプ１０は施工を容易とするために、図２，図３に示すように、軸線を略通る位置で左右に分割形成した分割パイプ体１０ａ，１０ｂによって構成されており、その分割面の外側で嵌着筒部１１の下部位置に、組付用ボルト１８（図５参照）の挿通孔１６を備えた一対のフランジ部１７，１７が前後方向に突設されている。また、分割面には、左右の分割パイプ体１０ａ，１０ｂを突き合わせた状態で互いに嵌合される凸条１９と凹溝２０が上下方向に沿って形成されている。この凸条１９と凹溝２０との相互嵌合により、両分割パイプ体１０ａ，１０ｂを位置ずれが生じることなく突き合わせ得るようにしている。また、左右の分割パイプ体１０ａ，１０ｂを突き合わせた状態における嵌着筒部１１の内径は縦樋管８の外形に略一致するように設定されており、これによって、嵌着筒部１１を縦樋管８の下端部に対して略密嵌状に外嵌し得るようにしている。さらに嵌着筒部１１の内周面には、図４に示すように、複数の止水凸条２１が上下方向に適宜の間隔を置いて周設されている。そして、左右の分割パイプ体１０ａ，１０ｂは、図５に示すように、その分割面を突き合わせて、左右で対向するフランジ部１７，１７の各挿通孔１６，１６に組付用ボルト１８を夫々挿通し、その突出端側に螺合されるナット２２の緊締作用を介して一体に組み付け得るようになっている。尚、この組み付けに際して、分割面に予め接着剤を塗布しておいてもよく、このように分割面に接着剤を塗布して対向する両分割面を該接着剤によって接合すれば、左右の分割パイプ体１０ａ，１０ｂを、さらに強固に一体化することができる。
【００２４】
そして、前記誘導パイプ１０は、図１に示すように、その漏斗状部１２がストレーナ５内に上方から嵌挿されるとともに、該漏斗状部１２の導出口１３を、排水管部３と同心状で該排水管部３の上部開口縁との間に所要の流通間隙ｓが生じるように近接させて臨ませ、かつ漏斗状部１２の導出口１３から排出される雨水直下流と排水管部３の内周壁との間に筒状通気領域ｔが形成されるように配設されている。
【００２５】
次に、前記縦樋管８と誘導パイプ１０の施工手順について説明する。ドレイン受皿２が、排水管部３を床Ｆに挿通させた状態で各床Ｆ毎に上下で一致する位置に配設されている状態において、先ず、ストレーナ５をドレイン受皿２上に乗載し、該ストレーナ５の下端鍔縁に挿通した複数の螺子６を、ドレイン受皿２の支持段部７の螺子孔７ａに夫々螺合させて緊締する。これにより、ストレーナ５がドレイン受皿２上の所定位置に固定される。次に、縦樋管８を垂直にして、その上端を上階のドレイン受皿２の排水管部３に嵌装する。この縦樋管８は、上端を上階のドレイン受皿２の排水管部３に嵌装した状態で、その下端とストレーナ５の上端との間に、分割パイプ体１０ａ，１０ｂの漏斗状部１２を挿通し得る適宜の間隙が生じる長さに設定されている。そして、縦樋管８の垂直状態を維持し、該縦樋管８の下端部を間に位置させた状態で、前記隙間から分割パイプ体１０ａ，１０ｂの漏斗状部１２をストレーナ５内に挿入して、該分割パイプ体１０ａ，１０ｂの分割面を縦樋管８の左右両側から突き合わせて、組付用ボルト１８，ナット２２によって一体に組み付ける。これにより、誘導パイプ１０の嵌着筒部１１が、ストレーナ５の上方位置で縦樋管８の下端部に略密嵌状に外嵌されて、該縦樋管８の軸線方向に略一致する誘導パイプ１０の取付方向が保持される。また、漏斗状部１２の下端部に設けられたスペーサー片１４，１４をドレイン受皿２の内底面に当接させて誘導パイプ１０の高さ位置を保持させることにより、漏斗状部１２の導出口１３が、排水管部３と同心状で該排水管部３の上部開口縁との間に所要の流通間隙ｓが生じた状態で近接して臨むこととなる。尚、誘導パイプ１０が先付け施工用として形成されており、前記スペーサー片１４，１４が除去されている場合には、ストレーナ５の上端に乗載する支承鍔縁１５によって誘導パイプ１０の高さ位置が保持される。然る後、縦樋管８の中間部を支持金具ｇ（図１２参照）を介して建物の壁面等に固定することにより、施工が完了する。
【００２６】
かかる施工状態にあって、排水管部３の下部開口径より径小な導出口１３が下端に開口された漏斗状部１２を備えた誘導パイプ１０が、図１に示すように、漏斗状部１２の導出口１３を、排水管部３と同心状で該排水管部３の上部開口縁との間に所要の流通間隙ｓが生じるように近接させて臨ませて配設されていることにより、床Ｆ上からストレーナ５を介してドレイン受皿２内に流入する雨水を、前記流通間隙ｓから排水管部３へ円滑に排水することができる。また、上階の中継用ドレイン１から縦樋管８を通って流下する雨水を誘導パイプ１０に流入させて、漏斗状部１２の導出口１３から排水管部３へ流すことができる。ここで、時間降雨量８０mm以上等の猛烈な豪雨時には、漏斗状部１２の導出口１３から雨水が円柱状の直下流となって激しく真下に排出され、その雨水直下流と排水管部３の内周壁との間に筒状通気領域ｔ（図１参照）が形成されることとなる。そして、縦樋管８へ排水される大量の雨水が空気を巻き込んで縦樋管８内に流入することにより発生する気泡が上部へ浮き上がって生じる空気を、前記筒状通気領域ｔによって外部に排出することでき、ドレイン受皿２からの雨水の流入を円滑に行わせることができるとともに、上階の中継用ドレイン１から縦樋管８を通って流下する大量の雨水が、漏斗状部１２の導出口１３から直下流となって下階側の縦樋管８内に直接流入するため、その流入時に巻き込まれる空気量が減少し、縦樋管８内で発生する気泡量が減少することとなって、縦樋管８内での雨水の体積増加が抑止されて流れが悪くなることがない。これによって、従来、猛烈な豪雨時に生じていた雨水の噴き出し現象を防止することができる。
【００２７】
また、縦樋管８の下端部に外嵌された嵌着筒部１１が、縦樋管８の軸線方向に略一致する誘導パイプ１０の取付方向を保持するので、豪雨時において、上階の中継用ドレイン１から縦樋管８を通って流下する大量の雨水の流圧をまともに受ける漏斗状部１２が前後左右に揺動せず、誘導パイプ１０の安定した取付状態が得られる。また、嵌着筒部１１がストレーナ５の上方に所定長さ突出していることにより、ストレーナ５の上方位置で嵌着筒部１１が外嵌される縦樋管８の長さに多少の寸法誤差があっても、嵌着筒部１１の上方突出長さによって、その寸法誤差を吸収することができる。さらに、縦樋管８の長さを、その下端部がストレーナ５内に挿入されることなく、ストレーナ５の上方に位置するように短くできるため、縦樋管８の下端部に対する嵌着筒部１１の取付施工を容易に行うことができる。
【００２８】
一方、前記誘導パイプ１０を、軸線を略通る位置で左右に分割形成し、縦樋管８の下端部を間に位置させた状態で該縦樋管８の左右両側から一体に組み付けるようにしているので、縦樋管８をストレーナ５の上方位置で垂直に維持した状態で、該縦樋管８の下端とストレーナ５の上端との間に生じる隙間から、左右に分割形成された誘導パイプ１０の漏斗状部１２をストレーナ５内に夫々差し入れるとともに、縦樋管８の下端部を間に位置させて左右の嵌着筒部１１を一体化することにより、誘導パイプ１０を縦樋管８の下端部に簡単に取付けることができる。ここで、かかる取付作業は、縦樋管８をストレーナ５の上方位置で垂直に維持し、かつストレーナ５をドレイン受皿２上に固定した状態で行い得るので、既設の中継用ドレイン装置に対する誘導パイプ１０の後付け施工にも適したものとなる。即ち、既設の中継用ドレイン装置にあっては、ストレーナ５内に縦樋管８の下端部が挿入されているので、本発明にかかる誘導パイプ１０を取付ける際には、ストレーナ５の上方の所定位置で縦樋管８を切断し、その切断された端部を除去すれば、縦樋管８やストレーナ５を取り外さなくても誘導パイプ１０の取付けが可能であり、その後付け施工を容易に行うことができる。
【００２９】
さらに、漏斗状部１２の下端部に、ドレイン受皿２の内底面に当接して誘導パイプ１０の高さ位置を保持するスペーサー片１４，１４が設けられているので、誘導パイプ１０の嵌着筒部１１を縦樋管８の下端部に固着しなくても、漏斗状部１２の導出口１３と排水管部３の上部開口縁との間に所要の流通間隙ｓを確保することができるとともに、縦樋管８の下端部からの誘導パイプ１０の脱落を防止することができる。
【００３０】
尚、この第一実施例では、縦樋管８の下端部に外嵌される誘導パイプ１０の嵌着筒部１１を縦樋管８に略密嵌するようにしているが、さらにその固定手段として、嵌着筒部１１を縦樋管８に挟着したり、或いは圧入，ビス止めにより嵌着筒部１１を縦樋管８に固定するようにしてもよい。また、施工は若干面倒となるが、誘導パイプ１０を左右に分割形成することなく、一体形成することも可能である。
【００３１】
図６〜図１０は、本発明の第二実施例を示し、この第二実施例は、ドレイン受皿２の周囲の床Ｆから流入する雨水流を部分的に遮断して、排水管部３の内周壁に沿って生ずる前記筒状通気領域ｔをドレイン受皿２の周囲の外気と連通させる通気路ｕを設けたものである。ここで、該通気路ｕは、誘導パイプ１０またはドレイン受皿２に一体形成される断面略コ字形の遮断壁部２３ａ（図６，図７，図１０参照）や、断面略コ字形の遮断壁部材２３ｂ（図８，図９参照）を誘導パイプ１０またはドレイン受皿２に取付けることによって構成され得る。
【００３２】
図６，図７は、断面略コ字形の遮断壁部２３ａを誘導パイプ１０の外周面に一体形成した一例を示す。該遮断壁部２３ａは、漏斗状部１２の上下方向の略中間位置に上部を開口させ、下部をドレイン受皿２の内底面に当接させることにより、ドレイン受皿２の周囲の床Ｆから流入する雨水流を部分的に遮断し得るようになっている。尚、このように遮断壁部２３ａを誘導パイプ１０に一体形成する構成に代えて、該遮断壁部２３ａと同一形状のものを別体形成し、これを接着剤やビスを用いて誘導パイプ１０の外周面に取付けることも可能である。
【００３３】
図８は、断面略コ字形の遮断壁部材２３ｂをドレイン受皿２に取付けるようにした一例を示す。遮断壁部材２３ｂは、その外壁面に側方突成された帯板状の支持片２４を備えており、該支持片２４の先端部には、図９に示すように、螺子６を挿通し得る半円形の切欠部２５が形成されている。そして、前記支持片２４を、図８に示すように、ドレイン受皿２の支持段部７とストレーナ５の下端鍔縁との間に介装させた状態で、ストレーナ５の下端鍔縁に挿通した螺子６を、支持段部７の螺子孔７ａに螺合させて緊締することにより、遮断壁部材２３ｂをドレイン受皿２に固定するようにしている。これにより、遮断壁部材２３ｂは、漏斗状部１２の上下方向の略中間位置に上部が開口され、下部がドレイン受皿２の内底面に当接した状態で、ドレイン受皿２の周囲の床Ｆから流入する雨水流を部分的に遮断し得るようになっている。
【００３４】
図１０は、断面略コ字形の遮断壁部２３ａをドレイン受皿２に一体形成した一例を示す。該遮断壁部２３ａは、ドレイン受皿２の内底面に所定高さで立設されており、ドレイン受皿２の周囲の床Ｆから流入する雨水流を部分的に遮断し得るようになっている。
【００３５】
そして、このように、誘導パイプ１０またはドレイン受皿２に、ドレイン受皿２の周囲の床Ｆから流入する雨水流を部分的に遮断して、排水管部３の内周壁に沿って生ずる筒状通気領域ｔをドレイン受皿２の周囲の外気と連通する通気路ｕを設けることにより、周囲の床Ｆから大量の雨水がドレイン受皿２に流入する場合にあっても、前記通気路ｕによって筒状通気領域ｔがドレイン受皿２の周囲の外気と連通され、縦樋管８内で発生した気泡が上部へ浮き上がって生じる空気を外部に確実に排出することができる。
【図面の簡単な説明】
【００３６】
【図１】本発明にかかる雨水噴き出し防止装置を備えた中継用ドレイン装置の施工状態を示す縦断面図である。
【図２】分割パイプ体１０ａ，１０ｂを分離した状態を示す誘導パイプ１０の平面図である。
【図３】分割パイプ体１０ａ，１０ｂを分離した状態を示す誘導パイプ１０の正面図である。
【図４】分割パイプ体１０ａ（１０ｂ）の分割面側から見た内面図である。
【図５】分割パイプ体１０ａ，１０ｂを一体に組み付けた状態を示す誘導パイプ１０の正面図である。
【図６】誘導パイプ１０に一体形成した遮断壁部２３ａにより通気路ｕが設けられた雨水噴き出し防止装置の施工状態を示す縦断面図である。
【図７】遮断壁部２３ａが一体形成された誘導パイプ１０の側面図である。
【図８】ドレイン受皿２に固定した遮断壁部材２３ｂにより通気路ｕが設けられた雨水噴き出し防止装置の施工状態を示す縦断面図である。
【図９】支持片２４を備えた遮断壁部材２３ｂの平面図である。
【図１０】ドレイン受皿２に一体形成した遮断壁部２３ａにより通気路ｕが設けられた雨水噴き出し防止装置の施工状態を示す縦断面図である。
【図１１】従来構成の中継用ドレイン装置の施工状態を示す縦断面図である。
【図１２】ストレーナｅ内に誘導パイプｋが配設された従来構成の中継用ドレイン装置の施工状態を示す縦断面図である。
【図１３】ストレーナｅ内で縦樋管ｆの下端部に接続筒ｍが嵌合された従来構成の中継用ドレイン装置の施工状態を示す縦断面図である。
【符号の説明】
【００３７】
１  中継用ドレイン
２  ドレイン受皿
３  排水管部
５  ストレーナ
８  縦樋管
１０  誘導パイプ
１１  嵌着筒部
１２  漏斗状部
１３  導出口
１４  スペーサー片
ｓ  流通間隙
ｔ  筒状通気領域
ｕ  通気路  
Ｆ  床
【図１】
0004629543.tif 000002
【図２】
0004629543.tif 000003
【図３】
0004629543.tif 000004
【図４】
0004629543.tif 000005
【図５】
0004629543.tif 000006
【図６】
0004629543.tif 000007
【図７】
0004629543.tif 000008
【図８】
0004629543.tif 000009
【図９】
0004629543.tif 000010
【図１０】
0004629543.tif 000011
【図１１】
0004629543.tif 000012
【図１２】
0004629543.tif 000013
【図１３】
0004629543.tif 000014